【事件の表示】
　特願２０００−５６４３４１「ネットワークリソースの割当て方法」拒絶査定不服審判事件〔平成１２年　２月１７日国際公開、ＷＯ００／０８８１２、平成１４年　７月２３日国内公表、特表２００２−５２２９６２〕について、次のとおり審決する。
【結　論】
　本件審判の請求は、成り立たない。
【理　由】
第１．手続の経緯
　本願は、１９９９年８月４日（パリ条約による優先権主張外国庁受理　１９９８年８月４日　アメリカ合衆国（ＵＳ））を国際出願日とする出願であって、平成２２年２月４日付けで拒絶査定がなされ、これに対し、同年６月２日に拒絶査定に対する審判請求がされると共に、手続補正がなされたものである。
　
第２．本願発明
 本願の請求項１に係る発明（以下、「本願発明」という。）は、平成２２年６月２日付け手続補正書の特許請求の範囲の請求項１に記載された、以下のとおりのものと認める。
　
　「発呼通信装置と被呼通信装置との間の特定の呼のために、パケットネットワークのリソースを割り当てる方法であって、前記パケットネットワークはコントローラを有し、
　前記コントローラが、発呼通信装置から被呼通信装置と関連付けられたアドレス情報を受け取る工程と、
　前記コントローラが、前記アドレス情報の受け取りの後、複数のパケットネットワークリソースを予約する工程であって、複数の予約されたネットワークリソースのうち、どの一つのネットワークリソースが前記呼のための音声情報を伝達するために割り当てられる前に、複数のネットワークリソースを予約する予約工程と、
　前記コントローラが、前記被呼通信装置において前記呼についてアラートが発生され、かつ、前記被呼通信装置がその後にオフフック状態にされた後にのみ、予約された複数のネットワークリソースを前記呼のための音声情報を伝達するために割り当てる工程と、
　を含むことを特徴とする方法。」
　
第３．引用発明
　原審の拒絶の理由に引用された特開平６−１６９３１８号公報（以下、「引用例」という。）には、図面とともに以下の事項イ．〜ハ．が記載されている。
　
イ．「【００１６】全体の動作
ＡＴＭ交換機１０に収容されるマルチメディア端末１から別の交換機５０に収容されるマルチメディア端末２に対してテレビ電話をかける場合について、換言すれば音声及び動画像のコネクションを呼設定時に同時に接続する場合について説明する。図５、図６、図７はテレビ電話サービスを実現するためのシーケンスフロー図である。」（４頁５欄４１行〜４８行）
　
ロ．「【００１７】(a) マルチメディア端末１よりテレビ電話用のキーを押下して相手電話番号を入力すると、該端末１はC-SETUPメッセージ（呼制御信号:発信、着信番号を含む）を送出すると共に、音声コネクション及び動画コネクション毎にB-SETUPメッセージ(コネクション制御要信号：帯域（伝送速度）やピーク値、バースト性等を含む)を交換機１０に送出する。交換機１０の信号制御部２１はこれらメッセージが呼設定及びコネクション設定用メッセージであるので、タスク起動部３１に送出する。
(b) タスク起動部３１は信号制御部から送られてきたメッセージに基づいて、端末１用に呼制御タスク３２ａ及び音声と動画像のそれぞれのコネクション制御タスク３３ａ1〜３３ａ2を生成し、それぞれにC-SETUP,B-SETUPを渡して起動する。
【００１８】(c) 各コネクション制御タスク３３ａ1〜３３ａ2は受信したB-SETUPメッセージに含まれる帯域情報等をB-REQメッセージにより呼制御タスク３２ａに通知する。呼制御タスク３２ａは各コネクション制御タスク３３ａ1〜３３ａ2から帯域の通知を受信すれば、着信端末への複数の方路（ＶＰＩ）を求め、その内の１つのＶＰＩをＢ−ＳＥＬ信号により各コネクション制御タスク３３ａ1〜３３ａ2に指定する。各コネクション制御タスク３３ａ1〜３３ａ2はそれぞれ指定されたＶＰＩの帯域に音声、動画像を伝送するための余裕があるか調べ、余裕があれば、該ＶＰＩ及び音声及び動画像コネクション用に所定のＶＣＩを予約（リザーブ）し、その旨をB-RES信号で呼制御タスク３２ａに通知する。以上により、音声、動画像の各コネクションについて同一の方路（ＶＰＩ）及び各コネクション用のＶＣＩが予約される。尚、同一のＶＰＩを予約させるための詳細な処理は図８に従って後述する。
【００１９】(d) 同一ＶＰＩの予約が完了すると、呼制御タスク３２ａは信号制御部２３を介して予約されたＶＰＩの接続先のＡＴＭ交換機（図４では端末２を収容する交換機５０）にC+B-SETUPメッセージを送出する。交換機５０の信号制御部６３はこれら信号は呼設定及びコネクション設定用信号であるので、タスク起動部７１に送出する。
(e) タスク起動部７１は信号制御部から送られてきた信号に基づいて、端末２用に呼制御タスク７２ａ及び音声と動画のそれぞれのコネクション制御タスク７３ａ1〜７３ａ2を生成し、それぞれにC-SETUPメッセージ,B-SETUPメッセージを渡して起動する。
【００２０】(f) 各コネクション制御タスク７３ａ1〜７３ａ2は受信したB-SETUPメッセージに含まれる帯域情報をB-REQ信号で呼制御タスク７２ａに通知する。呼制御タスク７２ａは各コネクション制御タスク７３ａ1〜７３ａ2から帯域の通知を受信すれば、着信端末への方路（ＶＰＩ）を求め、該ＶＰＩをB-SELメッセージにより各コネクション制御タスク７３ａ1〜７３ａ2に指定する。該指定されたＶＰＩの帯域に音声、動画像を伝送するための余裕があれば、該ＶＰＩと音声、動画像コネクション用に所定のＶＣＩを予約（リザーブ）し、予約完了をB-RES信号で呼制御タスク７２ａに通知する。以上により、音声、動画像の各コネクションについて同一の方路（ＶＰＩ）が予約される。
(g) 予約が完了すると、呼制御タスク７２ａは信号制御部６１を介して端末２にC-SETUPメッセージを送出する。
【００２１】(h) 又、呼制御タスク７２ａは、音声及び動画コネクション制御タスク７３ａ1〜７３ａ2に全コネクションの予約が成功したことをB-SUCメッセージにより通知し、通知されたコネクション制御タスクは信号制御部61を介して端末２にB-SETUPメッセージを送出する。」（４頁５欄４９行〜５頁７欄１４行）
　
ハ．「(i) 端末２はC-SETUP,B-SETUPメッセージの受信により、応答可能であれば、応答可能を示すALTメッセージを信号制御部６１を介して呼制御タスク７２ａに送出する。呼制御タスク７２ａは信号制御部６３，２３を介して呼制御タスク３２ａにALTメッセージを送出する。これにより、呼制御タスク３２ａは、ALTメッセージを信号制御部２１を介して端末１に送出する。
【００２２】(j) 端末２はALTメッセージ送出後、着信者がオフフックするとC-CONN及びB-CONNメッセージを信号制御部６１を介してそれぞれ呼制御タスク７２ａ及び各コネクション制御タスク７３ａ1，７３ａ2に送出する。各コネクション制御タスク７３ａ1，７３ａ2は、先に予約したＶＰＩ、ＶＣＩを捕捉してコネクションを設定した後、呼制御タスク７２ａにB-ESTメッセージを送出する。
(k) これにより、呼制御タスク７２ａは、C+B-CONNメッセージを信号制御部６３、２３を介して呼制御タスク３２ａに送出する。
(m) 呼制御タスク３２ａはC-CONNメッセージを信号制御部２１を介して端末１に送出後、B-CONNメッセージを各コネクション制御タスク３３ａ1，３３ａ2に送出する。
【００２３】(n) 各コネクション制御タスク３３ａ1，３３ａ2は、先に予約したＶＰＩ、ＶＣＩを捕捉して、コネクションを設定した後、信号制御部２１を介して端末１にB-CONNメッセージを送出する。以上により、端末１及び端末２の間で、音声及び動画像のマルチコネクションが設立され、テレビ電話の通信中状態となる。」（５頁７欄１５行〜４１行）
　
Ａ．上記摘記事項イ．〜ハ．の記載及び図面によると、引用例は、ＡＴＭ網における発呼側マルチメディア端末１と被呼側マルチメディア端末２との間の呼のために、ＡＴＭ網のＶＰＩとＶＣＩを予約（リザーブ）した後、これらを捕捉してコネクションを設定する方法が記載されているといえる。
　
Ｂ．上記摘記事項イ．〜ハ．の記載及び図面によると、ＡＴＭ網内の各ＡＴＭ交換機において、信号制御部、呼制御タスク、コネクション制御タスクが呼に関する制御を行っているから、これらは総称して「制御部」といいうるものであって、このことから「ＡＴＭ網は制御部を有し」ているといえる。
　
Ｃ．上記摘記事項ロ．に示された(a)の手順には、「マルチメディア端末１よりテレビ電話用のキーを押下して相手電話番号を入力すると、該端末１はC-SETUPメッセージ（呼制御信号:発信、着信番号を含む）を送出すると共に、音声コネクション及び動画コネクション毎にB-SETUPメッセージ(コネクション制御要信号：帯域（伝送速度）やピーク値、バースト性等を含む)を交換機１０に送出する。交換機１０の信号制御部２１はこれらメッセージが呼設定及びコネクション設定用メッセージであるので、タスク起動部３１に送出する。」と記載されており、「制御部」の一要素である信号制御部２１が、着信番号を含むメッセージを受け取ることが開示されている。また、「着信番号」は、「被呼側マルチメディア端末２と関連付けられた番号情報」といえる。
　
Ｄ．上記摘記事項ロ．に示された(c)の手順には、制御部が着信番号を受け取った後の動作として、「呼制御タスク３２ａは各コネクション制御タスク３３ａ1〜３３ａ2から帯域の通知を受信すれば、着信端末への複数の方路（ＶＰＩ）を求め、その内の１つのＶＰＩをＢ−ＳＥＬ信号により各コネクション制御タスク３３ａ1〜３３ａ2に指定する。各コネクション制御タスク３３ａ1〜３３ａ2はそれぞれ指定されたＶＰＩの帯域に音声、動画像を伝送するための余裕があるか調べ、余裕があれば、該ＶＰＩ及び音声及び動画像コネクション用に所定のＶＣＩを予約（リザーブ）し、その旨をB-RES信号で呼制御タスク３２ａに通知する。以上により、音声、動画像の各コネクションについて同一の方路（ＶＰＩ）及び各コネクション用のＶＣＩが予約される。」と記載されている。また、(f)の手順には、(c)の手順に続いて、ＡＴＭ交換機５０において呼制御タスク７２ａ及び各コネクション制御タスク７３ａ1〜７３ａ2も同様の動作を行うことが記載されている。これらのことから、「制御部」の一要素である呼制御タスク及び各コネクション制御タスクにより、ＶＰＩとＶＣＩを予約（リザーブ）する工程が開示されているといえる。
　
Ｅ．上記摘記事項ハ．に示された(j)の手順には、制御部がＶＰＩとＶＣＩを予約（リザーブ）した後の動作として、「各コネクション制御タスク７３ａ1，７３ａ2は、先に予約したＶＰＩ、ＶＣＩを捕捉してコネクションを設定した後」と記載されている。また、(n)の手順には、(j)の手順に続いて、ＡＴＭ交換機１０において各コネクション制御タスク３３ａ1，３３ａ2も同様の動作を行うことが記載されている。これらのことから、「制御部」の一要素である各コネクション制御タスクにより、ＶＰＩとＶＣＩを捕捉してコネクションを設定する工程が開示されているといえる。
　
Ｆ．上記摘記事項ハ．に示された(n)の手順には、「各コネクション制御タスク３３ａ1，３３ａ2は、先に予約したＶＰＩ、ＶＣＩを捕捉して、コネクションを設定した後、信号制御部２１を介して端末１にB-CONNメッセージを送出する。以上により、端末１及び端末２の間で、音声及び動画像のマルチコネクションが設立され、テレビ電話の通信中状態となる。」と記載されている。ここで、「テレビ電話」は音声情報を伝達する通信方式であるが、これに用いられるコネクションを設定するために予約したＶＰＩ及びＶＣＩを捕捉していることは明らかである。また、手順全体を俯瞰すると、ＶＰＩ及びＶＣＩの捕捉及びコネクション設定の動作の後に何らかの予約動作がされることはないから、予約工程は、「予約されたＶＰＩ及びＶＣＩのうち、どの一つのＶＰＩ及びＶＣＩが呼のための音声情報を伝達するために捕捉されコネクションが設定される前に、ＶＰＩ及びＶＣＩを予約する」ものであるといえる。
　
Ｇ．上記摘記事項ハ．に示された(i)の手順には、「端末２はC-SETUP,B-SETUPメッセージの受信により、応答可能であれば、応答可能を示すALTメッセージを信号制御部６１を介して呼制御タスク７２ａに送出する。」と記載され、また、(j)の手順には、「端末２はALTメッセージ送出後、着信者がオフフックするとC-CONN及びB-CONNメッセージを信号制御部６１を介してそれぞれ呼制御タスク７２ａ及び各コネクション制御タスク７３ａ1，７３ａ2に送出する。各コネクション制御タスク７３ａ1，７３ａ2は、先に予約したＶＰＩ、ＶＣＩを捕捉してコネクションを設定した後、呼制御タスク７２ａにB-ESTメッセージを送出する。」と記載されている。一方で、(i)の手順より前にＶＰＩ及びＶＣＩの捕捉及びコネクション設定の動作が行われることは記載されていないことと、上記ｅ．ｆ．で検討したこととを勘案すれば、ＶＰＩ及びＶＣＩを捕捉してコネクションを設定する工程は、「制御部が、被呼側マルチメディア端末２において呼についてALTメッセージが送出され、かつ、被呼側マルチメディア端末２がその後にオフフック状態にされた後にのみ、予約されたＶＰＩ及びＶＣＩを呼のための音声情報を伝達するために捕捉してコネクションを設定する」ものであるといえる。
　
　したがって、これらの記載事項によると、引用例には以下の発明（以下「引用発明」という。）が記載されていると認められる。
　
　「発呼側マルチメディア端末１と被呼側マルチメディア端末２との間の呼のために、ＡＴＭ網のＶＰＩ及びＶＣＩを捕捉してコネクションを設定する方法であって、前記ＡＴＭ網は制御部を有し、
　前記制御部が、発呼側マルチメディア端末１から被呼側マルチメディア端末２と関連付けられた番号情報を受け取る工程と、
　前記制御部が、前記番号情報の受け取りの後、ＶＰＩ及びＶＣＩを予約する工程であって、予約されたＶＰＩ及びＶＣＩのうち、どの一つのＶＰＩ及びＶＣＩが前記呼のための音声情報を伝達するために捕捉されコネクションが設定される前に、ＶＰＩ及びＶＣＩを予約する予約工程と、
　前記制御部が、前記被呼側マルチメディア端末２において前記呼についてALTメッセージが送出され、かつ、前記被呼側マルチメディア端末２がその後にオフフック状態にされた後にのみ、予約されたＶＰＩ及びＶＣＩを前記呼のための音声情報を伝達するために捕捉してコネクションを設定する工程と、
　を含むことを特徴とする方法。」
　
第４．対比・判断
　本願発明と引用発明とを対比する。
　
ａ．引用発明の「発呼側マルチメディア端末１」、「被呼側マルチメディア端末２」は、本願発明の「発呼通信装置」、「被呼通信装置」に相当する。
　
ｂ．引用発明の、発呼側マルチメディア端末１と被呼側マルチメディア端末２との間の「呼」について、これを「特定の呼」と称することは任意である。
　
ｃ．ＡＴＭ網で用いられる「セル」は固定長のパケットであるため、ＡＴＭ網はパケットネットワークの一種である。したがって、引用発明の「ＡＴＭ網」は、本願発明の「パケットネットワーク」に包含されるものである。
　
ｄ．ＶＰＩとＶＣＩは、ＡＴＭ網で通信を行う際にはリソースとして扱われるものであるから（必要であれば、特開平９−２７５４００号公報の「回線グループのリソース（空き帯域、ＶＰＩ／ＶＣＩ値等）」（６頁１０欄７〜８行）、特開平１０−５１４５６号公報の「ＶＰＩ値、ＶＣＩ値および帯域等のリソースを予約する」（２頁２欄４９〜５０行）等の記載を参照）、引用発明の「ＶＰＩ及びＶＣＩ」は、「パケットネットワークのリソース」に包含されるものである。そうすると、引用発明におけるパケットネットワークリソースは、ＶＰＩとＶＣＩの少なくとも２つがあることから複数であるといえ、予約工程については、複数の予約されたネットワークリソース（ＶＰＩ及びＶＣＩ）のうち、どの一つのネットワークリソース（ＶＰＩ及びＶＣＩ）が捕捉されコネクションが設定される前に、複数のネットワークリソース（ＶＰＩ及びＶＣＩ）が予約されているものであるということができる。
　
ｅ．引用発明の「制御部」は、リソースの予約を行うなど、呼に関する制御を行うものである点で、本願発明の「コントローラ」と一致している。
　
ｆ．「アドレス情報」は、例えば「メールアドレス」や「ＩＰアドレス」などのように、あるものの所在を示す情報であることは技術常識である。着信番号などの番号情報も、それによって所在を示すものであるから、「アドレス情報」に包含されるものである。そうすると、引用発明の「マルチメディア端末２と関連付けられた番号情報」は、本願発明の「被呼通信装置と関連付けられたアドレス情報」と一致するといえる。
　
ｇ．引用発明では、予約されたＶＰＩとＶＣＩを捕捉してコネクションを設定するとされているが、設定されたコネクションにおける通信では、当該予約されたＶＰＩとＶＣＩが使用されることは明らかである。そのため、「捕捉してコネクションを設定する」ことは、予約したリソースを「使用状態にする」ことといえる。一方、本願発明における、予約したパケットネットワークリソースを「割り当てる」ことも、リソースを「使用状態にする」ことといいうるから、両者はこの点で一致している。
　
　したがって、本願発明と引用発明は、以下の点で一致ないし相違している。
　
（一致点）
　「発呼通信装置と被呼通信装置との間の特定の呼のために、パケットネットワークのリソースを使用状態にする方法であって、前記パケットネットワークはコントローラを有し、
　前記コントローラが、発呼通信装置から被呼通信装置と関連付けられたアドレス情報を受け取る工程と、
　前記コントローラが、前記アドレス情報の受け取りの後、複数のパケットネットワークリソースを予約する工程であって、複数の予約されたネットワークリソースのうち、どの一つのネットワークリソースが前記呼のための音声情報を伝達するために使用状態にされる前に、複数のネットワークリソースを予約する予約工程と、
　前記コントローラが、前記被呼通信装置がオフフック状態にされた後にのみ、予約された複数のネットワークリソースを前記呼のための音声情報を伝達するために使用状態にする工程と、
　を含むことを特徴とする方法。」
　
（相違点１）
　予約されたリソースを「使用状態にする」ことに関し、本願発明は「割り当てる」とされているが、引用発明では「捕捉してコネクションを設定する」とされている点。
　
（相違点２）
　被呼通信装置がオフフック状態にされる前に、本願発明では前記被呼通信装置において「前記被呼通信装置において前記呼についてアラートが発生され」るのに対し、引用発明では「前記被呼側マルチメディア端末２において前記呼についてALTメッセージが送出され」る点。
　
　まず、上記相違点１について検討する。
　一般に、通信の分野においては、共有されるチャネルや回線等のリソース（資源）を特定の通信に割り当てる際の前提動作を表す用語や、「割り当て」に対応する用語として、「捕捉」が用いられている（例えば、特開平８−６５７３５号公報の「割当可能なチャネルを捕捉し、この捕捉したチャネルを割り当てる」（３頁４欄１７〜１８行）、特開昭６４−２２１４４号公報の「捕捉した回線を呼に割り当て」（３頁右上欄１６〜１７行）、特開平８−２３５７６号公報の「使用可能であるリソースを前記のリソース捕捉要求に対して割り当てる」（４頁６欄７〜８行）等を参照）。
　一方で、引用発明では、予約したリソースを「捕捉してコネクションを設定する」とされているが、設定されたコネクションにおける通信では、当該予約して捕捉したリソースが使用されることは明らかであり、また、上述の「捕捉」という語の通信分野における一般的な用法を勘案すれば、引用発明においても結局はリソースを「割り当てる」ものであることは、当業者にとって明らかである。したがって、予約したリソースを「割り当てる」とすることは、当業者であれば格別の困難なくなし得たことである。
　
　次に、上記相違点２について検討する。
　被呼側の端末装置において、リング音などのアラートを発生して着呼を報知することは慣用手段であるから、引用発明において、被呼通信装置がオフフック状態にされる前に、呼についてアラートが発生されるようにすることは、適宜なし得たことである。
　
　また、効果についても、引用発明から当業者が予測し得る範囲のものである。
　
第５．むすび
　したがって、本願発明は、引用発明に基づいて、当業者であれば容易に想到し得たものであるから、特許法第２９条第２項の規定により特許を受けることができない。
　よって、結論のとおり審決する。